【事件の表示】
　特願２００２−２２７７５２「操作支援装置」拒絶査定不服審判事件〔平成１６年　１月　８日出願公開、特開２００４−　　１９８７〕について、次のとおり審決する。
【結　論】
　本件審判の請求は、成り立たない。
【理　由】
第１．手続の経緯
　本件出願は、平成１４年８月５日（優先権主張、平成１４年３月２５日）の出願であって、平成２０年６月２５日付けの拒絶理由通知に対して平成２０年８月２９日付けで意見書が提出されるとともに同日付けの手続補正書によって明細書について補正する手続補正がなされ、さらに、平成２１年３月１６日付けの拒絶理由通知に対して平成２１年５月２１日付けで意見書が提出されるとともに同日付けの手続補正書によって明細書について補正する手続補正がなされたが、平成２１年１０月２１日付けで（平成２１年３月１６日付けの拒絶理由通知書に記載された理由によって）拒絶査定がなされ、これに対し、平成２２年１月１５日に拒絶査定に対する審判請求がされると同時に、同日付けの手続補正書によって明細書について補正する手続補正がなされ、その後、平成２２年６月１５日付けの当審の書面による審尋に対して、平成２２年８月２０日付けで回答書が提出されたものである。
　
第２．平成２２年１月１５日付けの手続補正についての補正却下の決定
〔補正却下の決定の結論〕
　平成２２年１月１５日付けの手続補正を却下する。
〔理由〕
１．本件補正について
（１）本件補正の内容
　平成２２年１月１５日付けの手続補正書による手続補正（以下、「本件補正」という。）は、特許請求の範囲に関しては、本件補正により補正される前の（すなわち、平成２１年５月２１日付けの手続補正書により補正された）特許請求の範囲の下記の（ａ）に示す請求項（以下、「本件補正前の請求項」という。）１ないし１９を、下記の（ｂ）に示す請求項（以下、「本件補正後の請求項」という。）１ないし１６と補正するものである。
　
（ａ）本件補正前の請求項１ないし１９
「【請求項１】　
　建設機械の運転室内に設けられ、画像をテキストおよびイラストを用いて表示する表示装置と、
　前記画像を生成する画像処理装置と、
　前記建設機械の作業に応じた操作手順の画像を前記画像処理装置に生成させ、前記画像処理装置で生成された画像を前記表示装置に表示させる制御装置と、
　前記建設機械の姿勢を含む操作上関連する情報を検出する情報検出装置とを有し、
　前記制御装置は、操作手順とともに前記情報検出装置で検出される情報に基づく画像を前記画像処理装置に生成させ、前記画像処理装置で生成された操作手順をテキストで、前記情報検出装置により検出した前記建設機械の姿勢に関する画像をリアルタイムのイラストで前記表示装置に表示させ、
　前記表示装置に表示させる前記画像は、前記情報検出装置で検出される情報に基づいた前記建設機械の操作方法の指示、確認項目、点検項目および操作に伴う警告を含むことを特徴とする操作支援装置。
【請求項２】
　請求項１に記載の操作支援装置において、
　前記制御装置は、前記建設機械のフロントアタッチメントを起立または倒伏させる段取り作業の操作手順を前記表示装置に表示させることを特徴とする操作支援装置。
【請求項３】
　請求項１に記載の操作支援装置において、
　前記制御装置は、前記情報検出装置で検出される情報に基づいて前記表示装置に表示させる画像を更新することを特徴とする操作支援装置。
【請求項４】
　請求項１から請求項３のいずれか１項に記載の操作支援装置において、
　前記情報検出装置は、前記建設機械の状態量と前記建設機械の姿勢と環境情報とを検出することを特徴とする操作支援装置。
【請求項５】
　請求項４に記載の操作支援装置において、
　前記制御装置は、前記情報検出装置で検出される前記建設機械の姿勢に基づいて、次の操作手順を前記表示装置に表示させることを特徴とする操作支援装置。
【請求項６】
　請求項１から請求項５のいずれか１項に記載の操作支援装置において、
　前記表示装置に表示させる操作手順を選択する選択装置をさらに備え、
　前記制御装置は、前記選択装置によって選択された操作手順を前記表示装置に表示させることを特徴とする操作支援装置。
【請求項７】
　請求項４または請求項５に記載の操作支援装置において、
　前記制御装置は、前記情報検出装置で検出される前記建設機械の姿勢が作業可能範囲内にある場合は、操作手順に代えて前記表示装置にモーメントリミッタ画面を表示させることを特徴とする操作支援装置。
【請求項８】
　請求項１から請求項７のいずれか１項に記載の操作支援装置において、
　前記制御装置は、操作手順の一覧をツリー形式で前記表示装置に表示させることを特徴とする操作支援装置。
【請求項９】
　請求項８に記載の操作支援装置において、
　前記制御装置は、前記操作手順の一覧を、常時前記表示装置の一部に表示、あるいは必要に応じて前記表示装置に表示させることを特徴とする操作支援装置。
【請求項１０】
　請求項１から請求項９のいずれか１項に記載の操作支援装置において、
　前記制御装置は、前記表示装置に前記操作手順が表示されているときに前記建設機械の電源がオフとなった場合に、前記電源がオフとなる直前に前記表示装置に表示されていた前記操作手順を記憶する記憶部を有し、前記建設機械の電源がオンとなったときに前記記憶部に記憶された前記操作手順を前記表示装置に表示させることを特徴とする操作支援装置。
【請求項１１】
　請求項１から請求項１０のいずれか１項に記載の操作支援装置において、
　前記建設機械の操作手順を音声で出力する音声出力装置をさらに備えることを特徴とする操作支援装置。
【請求項１２】
　請求項１に記載の操作支援装置において、
　前記表示装置は、前記建設機械に関するモーメントリミッタ画面をさらに表示し、
　前記制御装置は、前記操作手順と前記建設機械の情報の画像に加えて、前記モーメントリミッタ画面を前記画像処理装置に生成させ、前記画像処理装置で生成された画像を前記表示装置に表示させることを特徴とする操作支援装置。
【請求項１３】
　請求項１２に記載の操作支援装置において、
　前記情報検出装置は、前記建設機械の状態量と前記建設機械の姿勢と環境情報とを検出し、
　前記制御装置は、前記情報検出装置で検出される情報に基づく画像を前記画像処理装置に生成させ、前記建設機械の姿勢に応じて前記モーメントリミッタ画面と前記操作手順とを切り換えて前記表示装置に表示させることを特徴とする操作支援装置。
【請求項１４】
　請求項１３に記載の操作支援装置において、
　前記制御装置は、前記情報検出装置で検出される前記建設機械の姿勢が作業可能範囲にない場合、および作業可能範囲内から作業可能範囲外へと遷移した場合に、前記モーメントリミッタ画面に代えて前記操作手順を前記表示装置に表示させることを特徴とする操作支援装置。
【請求項１５】
　請求項１３または請求項１４に記載の操作支援装置において、
　前記表示装置に表示させる操作手順を選択する選択装置をさらに備え、
　前記制御装置は、前記建設機械の姿勢に応じた操作手順、および前記選択装置によって選択された操作手順を前記表示装置に表示させることを特徴とする操作支援装置。
【請求項１６】
　請求項１５に記載の操作支援装置において、
　前記制御装置は、前記点検項目についてエラーが発生すると、前記表示装置に故障診断画面を表示させることを特徴とする操作支援装置。
【請求項１７】
　請求項１５に記載の操作支援装置において、
　前記制御装置に表示させる前記建設機械の操作手順は、取扱説明をさらに含み、
　前記制御装置は、前記選択装置によって取扱説明が選択されると、その時点で表示されている画面についての取扱説明を前記表示装置に表示することを特徴とする操作支援装置。
【請求項１８】
　請求項１３から請求項１７のいずれか１項に記載の操作支援装置において、
　前記情報検出装置は、前記建設機械に対するフロントアタッチメント取付の有無を検出し、
　前記制御装置は、前記情報検出装置によって前記フロントアタッチメントが取り付けられていないと検出されると、前記表示装置に操作手順を表示させることを特徴とする操作支援装置。
【請求項１９】
　請求項１２から請求項１８のいずれか１項に記載の操作支援装置において、
　前記制御装置は、前記建設機械のフロントアタッチメントを起立または倒伏させる段取り作業の操作手順を前記表示装置に表示させることを特徴とする操作支援装置。」
　　
（ｂ）本件補正後の請求項１ないし１６
「【請求項１】
　建設機械の運転室内に設けられ、画像をテキストおよびイラストを用いて表示する表示装置と、
　前記画像を生成する画像処理装置と、
　
前記表示装置に表示させる操作手順を選択する選択装置と、
　前記建設機械の姿勢を含む操作上関連する情報を検出する情報検出装置とを有し、
　前記制御装置は、
前記建設機械の姿勢に応じた
かつ、前記選択装置によって選択された作業の操作手順および目視による点検項目を前記表示装置に表示させ、
目視による
【請求項２】
　請求項１に記載の操作支援装置において、
　前記制御装置は、前記建設機械のフロントアタッチメントを起立または倒伏させる段取り作業の操作手順を前記表示装置に表示させることを特徴とする操作支援装置。
【請求項３】
　請求項１に記載の操作支援装置において、
　前記制御装置は、前記情報検出装置で検出される情報に基づいて前記表示装置に表示させる画像を更新することを特徴とする操作支援装置。
【請求項４】
　請求項１から請求項３のいずれか１項に記載の操作支援装置において、
　前記情報検出装置は、前記建設機械の状態量と前記建設機械の姿勢と環境情報とを検出することを特徴とする操作支援装置。
【請求項５】
　請求項４に記載の操作支援装置において、
　前記制御装置は、前記情報検出装置で検出される前記建設機械の姿勢に基づいて、次の操作手順を前記表示装置に表示させることを特徴とする操作支援装置。
【請求項
６
　請求項４または請求項５
のいずれか
　前記制御装置は、前記情報検出装置で検出される前記建設機械の姿勢が作業可能範囲内にある場合は、操作手順に代えて前記表示装置にモーメントリミッタ画面を表示させることを特徴とする操作支援装置。
【請求項
７
　請求項１から請求項
６
　前記制御装置は、操作手順の一覧をツリー形式で前記表示装置に表示させることを特徴とする操作支援装置。
【請求項
８
　請求項
７
　前記制御装置は、前記操作手順の一覧を、常時前記表示装置の一部に表示、あるいは必要に応じて前記表示装置に表示させることを特徴とする操作支援装置。
【請求項
９
　請求項１から請求項
８
　前記制御装置は、前記表示装置に前記操作手順が表示されているときに前記建設機械の電源がオフとなった場合に、前記電源がオフとなる直前に前記表示装置に表示されていた前記操作手順を記憶する記憶部を有し、前記建設機械の電源がオンとなったときに前記記憶部に記憶された前記操作手順を前記表示装置に表示させることを特徴とする操作支援装置。
【請求項
１０
　請求項１から請求項
９
　前記建設機械の操作手順を音声で出力する音声出力装置をさらに備えることを特徴とする操作支援装置。
【請求項
１１
　請求項１に記載の操作支援装置において、
　前記表示装置は、前記建設機械に関するモーメントリミッタ画面をさらに表示し、
　前記制御装置は、前記操作手順と前記建設機械の情報の画像に加えて、前記モーメントリミッタ画面を前記画像処理装置に生成させ、前記画像処理装置で生成された画像を前記表示装置に表示させることを特徴とする操作支援装置。
【請求項
１２
　請求項
１１
　前記情報検出装置は、前記建設機械の状態量と前記建設機械の姿勢と環境情報とを検出し、
　前記制御装置は、前記情報検出装置で検出される情報に基づく画像を前記画像処理装置に生成させ、前記建設機械の姿勢に応じて前記モーメントリミッタ画面と前記操作手順とを切り換えて前記表示装置に表示させることを特徴とする操作支援装置。
【請求項
１３
　請求項
１２
　前記制御装置は、前記情報検出装置で検出される前記建設機械の姿勢が作業可能範囲にない場合、および作業可能範囲内から作業可能範囲外へと遷移した場合に、前記モーメントリミッタ画面に代えて前記操作手順を前記表示装置に表示させることを特徴とする操作支援装置。
【請求項
１４
　請求項
１２または請求項１３のいずれか
　前記制御装置は、前記点検項目についてエラーが発生すると、前記表示装置に故障診断画面を表示させることを特徴とする操作支援装置。
【請求項
１５
　請求項
１２または請求項１３のいずれか
　前記制御装置に表示させる前記建設機械の操作手順は、取扱説明をさらに含み、
　前記制御装置は、前記選択装置によって取扱説明が選択されると、その時点で表示されている画面についての取扱説明を前記表示装置に表示することを特徴とする操作支援装置。
【請求項
１６
　請求項１３から請求項１７のいずれか１項に記載の操作支援装置において、
　前記情報検出装置は、前記建設機械に対するフロントアタッチメント取付の有無を検出し、
　前記制御装置は、前記情報検出装置によって前記フロントアタッチメントが取り付けられていないと検出されると、前記表示装置に操作手順を表示させることを特徴とする操作支援装置。」
（なお、下線は請求人が付した。）
　　　
（２）本件補正の目的
　本件補正は、特許請求の範囲については、本件補正前の請求項１、請求項１５及び請求項１９を削除し、本件補正前の請求項１を引用する本件補正前の請求項６を本件補正後の請求項１とするとともに、（ａ）本件補正前の請求項６における「（前記制御装置は、）操作手順（とともに‥‥‥を前記画像処理装置に生成させ‥）」の記載を「（前記制御装置は、）
前記建設機械の姿勢に応じた
および目視による点検項目
目視による
　また、本件補正後のその他の請求項については、本件補正前の請求項１、請求項１５及び請求項１９を削除したことにより、引用する請求項を整理するものである。
　
２．本件補正の適否についての判断
　本件補正における請求項１に関する補正事項は、前述したように、特許請求の範囲の減縮を目的とするものに該当するので、本件補正により補正された請求項１に記載された事項により特定される発明（以下、単に「本願補正発明」という。）が、特許出願の際、独立して特許を受けることができるものであるか否かについて、以下に検討する。
　
（１）引用文献の記載内容
（ア）原査定の拒絶理由に引用された特開２００１−３３５２８６号公報（以下、「引用文献１」という。）には、図面とともに次の事項が記載されている。
　　
（ａ）「【０００５】本発明は、上記の問題点に着目してなされたものであり、オペレータが操作手順を間違えること無く、容易に作業機械を操作できる作業機械の操作内容表示装置を提供することを目的としている。」（段落【０００５】）
　　
（ｂ）「【０００６】
【課題を解決するための手段、作用及び効果】上記の目的を達成するために、本発明は、作業機械の操作内容表示装置において、作業機械の状態検出手段と、コントローラと、表示装置とを設け、前記コントローラは前記状態検出手段からの信号により作業機械の状態が所定の状態であると判断した場合には前記表示装置に、次に操作すべき作業機械の操作内容を表示することとしている。」（段落【０００６】）
　　
（ｃ）「また、作業機械の操作内容表示装置において、作業機械は走行台車と、第１ブームと、第２ブームと、第３ブームとを有する作業車両であって、作業機械の状態検出手段と、コントローラと、表示装置とを設け、前記コントローラは前記状態検出手段からの信号により作業機械の状態が所定の状態であると判断した場合には前記表示装置に、次に操作すべき作業機械の操作内容を表示することとしている。また、前記表示装置を文字表示としたこととしている。また、前記表示装置を音声表示としたこととしている。また、前記表示装置を文字表示と音声表示、又は映像表示と音声表示、又は文字表示と映像表示の組み合わせとしたこととしている。」（段落【０００７】の一部、第３ページ第３欄１７行ないし第２８行）
　　
（ｄ）「【００１０】
【発明の実施の形態】以下、本発明に係る作業機械の操作内容表示装置の一例としての実施の形態について説明する。作業車両１については図１〜６により説明したものと同様であるので省略する。図７は本発明に係る作業機械の操作内容表示装置のシステム構成を示す図である。コントローラ５１及び表示装置５２は作業車両１の運転室１９内に設けられている。コントローラ５１はマイクロコンピュータ又は高速数値演算装置等の演算処置装置により構成されており、所定の書換え可能なメモリ（いわゆるＲＡＭ）を有している。コントローラ５１は後述する各センサよりの信号により作業車両１の姿勢や状態を判断し、作業機械１の次に行うべき操作内容を表示装置５２に表示する。表示装置５２は液晶ディスプレイやテレビモニタ等の表示装置であれば良い。また、表示装置５２は音声モニタによる音声表示装置であっても良い。さらに、表示装置５２は、前記の液晶ディスプレイやテレビモニタ等の映像表示または文字表示と、前記音声表示とを組合せたものであっても良い。」（段落【００１０】）
　
（ｅ）「【００１３】前記の第１ブーム角センサ５３、第２ブーム格納ロックセンサ５４、第２ブーム角センサ５５、第２ブームメカロックセンサ５６、第３ブームロックセンサ５７、はそれぞれ前記のように作業機械の姿勢やロックの係合状態などの作業機械の状態検出手段であり、前記のように検出した信号をコントローラ５１に送っている。」（段落【００１３】）
　　
（ｆ）「【００１４】次に、本発明に係る作業機械の操作内容表示装置の処理手順を示すフローチャートである図８、９により作業車両１をオペレータが操作して、図１に示す走行姿勢から図６に示す作業姿勢にする場合、又は作業姿勢から走行姿勢にする場合の操作内容を順次表示装置５２に表示するためにコントローラ５１が処理をする内容を説明する。
【００１５】まず、作業車両１を図１に示すような走行姿勢から、図６に示すような作業姿勢にする場合について、図８のフローチャートにより説明する。オペレータは図示しない作業モードスイッチ（作業モードＳＷ）を張出位置にする。すると、ステップＳ１０１で作業モードＳＷが張出であると判断し、ステップＳ１０２に行き第１ブーム１２が走行台車１０に対して前方を向いているかを、旋回台１１の向きを検出する図示しない旋回角センサの信号により判断する。第１ブーム１２が前方を向いていると判断すると、ステップＳ１０３に行き、第３ブーム２０からの接続信号（後述する第３ブーム２０側の配線と作業車両１側の配線を接続すると発生する信号）が有るかを判断し、接続信号が無ければ、ステップＳ１０４に行く。
【００１６】ステップＳ１０４では回転ブラケット１４が第１ブーム１２の前方に回転した後に、回転ブラケット１４を第１ブーム１２に固定する、図示しない第２ブーム先端ロックがロックされているか解除されているかを、図示しない先端ロックセンサの検出信号により判断し、解除されていれば、ステップＳ１０５に行く。ステップＳ１０５では前記第２ブーム格納ロック１８がロックされているか解除されているかを前記第２ブーム格納ロックセンサ５４の検出信号により判断し、ロックされていると判断するとステップＳ１０６に行く。ステップＳ１０６では第１ブーム１２の起伏角度が所定の角度起きているかを前記第１ブーム角センサ５３の検出信号により判断する。所定角度でなければステップＳ１０７に行き、表示装置５２に、次に操作すべき操作内容として「第１ブーム起こす」というメッセージを文字表示する。オペレータはこの表示を見て、第１ブーム１２の起伏角度が所定値になるように操作する。
【００１７】ステップＳ１０６で第１ブームの起伏角度が所定角度になったと判断すると、ステップＳ１０８に行き、表示装置５２に、次に操作すべき操作内容として「第２ブーム格納ロック解除」というメッセージを文字表示する。オペレータはこの表示を見て、前記第２ブーム格納ロック１８を解除する。次に、ステップＳ１０１に戻るが、ステップＳ１０１からステップＳ１０４での判断は前記と同様であり、ステップＳ１０５に行く。前記のように第２ブーム格納ロック１８は解除されているのでステップＳ１０５で前記第２ブーム格納ロックセンサ５４の検出信号により第２ブーム格納ロック１８が解除されていると判断し、ステップＳ１０９に行き、表示装置５２に、次に操作すべき操作内容として「第２ブーム張出・伏」というメッセージを文字表示する。オペレータはこの表示を見て、前記の図３の説明のように、第２起伏シリンダ１５を縮小し、回転ブラケット１４に対して第２ブーム１３を伏せる操作を行う。
【００１８】次に、ステップＳ１１０で第２ブーム１３の起伏角度が所定値であるかを前記第２ブーム角センサ５５の検出信号により判断し、所定値でなければステップＳ１０９に戻る。ステップＳ１１０で第２ブーム１３の起伏角度が所定値であると判断するとステップＳ１１１に行き、次に操作すべき操作内容として「第１ブーム伏せる」というメッセージを文字表示する。オペレータはこの表示を見て、第１起伏シリンダ１６を縮小し、第１ブーム１２を伏せる操作を行う。
【００１９】次に、ステップＳ１１２で第１ブームの起伏角度が所定の角度であるかを判断し、所定値でなければステップＳ１１１に戻る。ステップＳ１１２で第１ブーム１２の起伏角度が所定値であると判断するとステップＳ１１３に行き、次に操作すべき操作内容として「第２ブーム張格ＳＷを張出へ」というメッセージを文字表示する。オペレータはこの表示を見て、図示しない第２ブーム張格スイッチ（第２ブーム張格ＳＷ）を張出位置にする操作を行う。
【００２０】次にステップＳ１１４で第２ブーム張格ＳＷが張出位置であると判断すると、ステップＳ１１５に行き、次に操作すべき操作内容として「第２ブーム縮操作（反転）」というメッセージを文字表示する。オペレータはこの表示を見て、前記の図４に示すように、第２ブーム１３を反転して、第１ブーム１２の前方になるように、回転ブラケット１４を回転する操作を行う、すると、図示しない第２ブーム先端ロックが回転ブラケット１４を第１ブーム１２に固定する。次に、ステップＳ１０１に戻るが、ステップＳ１０２とステップＳ１０３は前記と同様であるので、ステップＳ１０４に行く。
【００２１】ステップＳ１０４では、前記のように、第２ブーム先端ロックが回転ブラケット１４を第１ブーム１２に固定しているので、第２ブーム先端ロックがロックされていると前記のように図示しない先端ロックセンサの検出信号により判断し、ステップＳ１２０に行く。ステップＳ１２０では次に操作すべき操作内容として「第２ブーム張格ＳＷを中立へ」というメッセージを文字表示する。オペレータはこの表示を見て、図示しない第２ブーム張格スイッチ（第２ブーム張格スイッチＳＷ）を中立位置にする操作を行う。
【００２２】次にステップＳ１１４で第２ブーム張格ＳＷが張出位置であるか否かの判断を行い、前記のように中立位置であるので、ステップＳ１１６に行く。ステップＳ１１６では、次に操作すべき操作内容として「第２ブームのメカロックをかける」というメッセージと「第３ブームと接続するというメッセージを文字表示する。この２つのメッセージは順番に表示を繰り返すいわゆるサイクリック表示を行うが、２つの表示を同時に表示しても良い。オペレータはこの表示を見て、前記第２ブーム先端ロックを固定する図示しない第２ブームメカロックを掛ける操作を行い、次に、第２ブームを操作して図５に示すように、架台２４により支持された、例えばグリッパのような作業具２３を有する第３ブーム２０のブラケット２１に第２ブーム１３の先端ブラケット２２のフック部２５を引っかけて接続し、第３ブーム２０と第２ブーム１３を係合させる操作を行う。次に、第３ブーム２０と第２ブーム１３とを図示しない第３ブーム結合ピンで結合する操作を行う。
【００２３】次に、ステップＳ１１７で、第３ブーム２０が図示しない第３ブーム結合ピンにより第２ブーム１３の先端ブラケット２２と結合しているかを判断し、結合していない場合、つまり第３ロックセンサ５７である第３ブームロックリミットスイッチ（第３ブームロックリミットＬ/Ｓ）がＯＦＦであれば、Ｓ１１６に戻り、ＯＮであれば、ステップＳ１１８に行く。ステップＳ１１８では、次に操作すべき操作内容として「第３ブームのメカロックをかける」というメッセージと「第３ブームとの配管・配線を接続する」というメッセージを文字表示する。この２つのメッセージは順番に表示を繰り返すいわゆるサイクリック表示を行うが、２つの表示を同時に表示しても良い。オペレータはこの表示を見て、第３ブーム２０を第２ブーム１３に結合する図示しない第３ブーム結合ピンを固定する図示しない第３ブームメカロックを掛ける操作を行い、次に、第３ブーム２０側の図示しない配管、配線と作業車両１側の図示しない配管、配線とを接続する。
【００２４】次に、ステップＳ１０１に又戻るが、ステップＳ１０１、ステップＳ１０２は前記と同様であるので、ステップＳ１０３に行く。ステップＳ１０３では前記のように第３ブーム２０側の図示しない配線と作業車両１側の図示しない配線とが接続され、接続信号が来ているのでＹＥＳと判断するとステップＳ１１９に行き、次に操作すべき操作内容として「作業姿勢にして終了」というメッセージを文字表示する。オペレータはこの表示を見て、作業車両１を図６に示すような作業姿勢になるように、第１起伏シリンダ１６、第２起伏シリンダ１５、第３ブーム２０の起伏角度を調整する図示しない第３起伏シリンダを、それぞれ動かし、第１ブーム１２、第２ブーム１３、第３ブーム２０をそれぞれ操作する。
【００２５】ステップＳ１０２で第１ブーム１２が走行車体１０に対して前方を向いていない場合には、ステップＳ１２１に行き、「エラー」というメッセージを文字表示する。また、「エラー」というメッセージを文字表示する代りに、警告灯を点灯したり警報を鳴らしても良い。」（段落【００１４】ないし【００２５】）
　　　　
（ｇ）「【００２６】次に、作業車両１を図６で示すような作業姿勢から、図１で示すような走行姿勢にする場合について、図８、９のフローチャートにより説明する。オペレータは作業モードスイッチ（作業モードＳＷ）を格納位置にする。すると、ステップＳ１０１で作業モードＳＷが格納であると判断し、ステップＳ２０１に行き第１ブーム１２が走行台車１０に対して前方を向いているかを前記のように判断する。第１ブーム１２が前方を向いていると判断すると、ステップＳ２０２に行き、ステップＳ２０２では前記第２ブーム先端ロックがロックされているか解除されているかを前記のように判断し、ロックされていれば、ステップＳ２０３に行く。ステップ２０３では第３ブーム２０からの接続信号が有るかを判断し、接続信号が有れば、ステップＳ２０４に行く。
【００２７】ステップＳ２０４では、次に操作すべき操作内容として「第２、３ブーム縮め」というメッセージを文字表示する。オペレータはこの表示を見て、第２ブーム１３と第３ブーム２０とを、図示しないそれぞれの伸縮シリンダにより最縮に縮小するように操作する。次にステップＳ２０５では第２ブームが最縮かどうかを判断し、最縮でなければステップＳ２０４に戻る。ステップＳ２０５で第２ブームが最縮であると図示しない第２ブーム長さセンサの検出信号により判断すると、ステップＳ２０６に行く。ステップＳ２０６では、次に操作すべき操作内容として「第３ブームとの配管・配線を分離する」というメッセージを文字表示する。オペレータはこの表示を見て、第３ブーム２０側の図示しない配管、配線と作業車両１側の図示しない配管、配線とを分離する。
【００２８】次に、ステップＳ１０１に戻るが、ステップＳ１０１、ステップＳ２０１、ステップＳ２０２での判断は前記と同様であり、ステップＳ２０３に行く。ステップ２０３では第３ブーム２０からの接続信号がないと前記のように判断し、ステップＳ２０７に行く。ステップＳ２０７では、次に操作すべき操作内容として「第３ブームロック解除」というメッセージを文字表示する。オペレータはこの表示を見て、前記第３ブームメカロックを解除し、次に、第３ブーム２０と第２ブーム１３とを結合している前記第３ブーム結合ピンを外す操作を行う。
【００２９】次に、ステップＳ２０８で、第３ブーム２０が前記第３ブーム結合ピンにより第２ブーム１３の先端ブラケット２２と結合しているかを判断し、結合している場合、つまり第３ロックセンサ５７である第３ブームロックリミットスイッチ（第３ブームロックリミットＬ/Ｓ）がＯＮであれば、Ｓ２０７に戻り、ＯＦＦであれば、ステップＳ２０９に行く。ステップＳ２０９では、次に操作すべき操作内容として「第３ブームと分離する」というメッセージを文字表示する。オペレータはこの表示を見て、第３ブーム２０と第２ブーム１３を分離する操作を行い、作業車両１を図５に状態から図４に示すような姿勢にするために、第１ブーム１２と第２ブーム１３との起伏角度をそれぞれ所定値にする操作を行う。
【００３０】次に、ステップＳ２１０に行き、第２ブーム１３の起伏角度を前記のように判断し、起伏角度が所定値でない場合はステップＳ２０９に戻り、所定値の場合にはステップＳ２１１に行く。ステップＳ２１１では、第１ブーム１２の起伏角度を前記のように判断し、起伏角度が所定値でない場合はステップＳ２０９に戻り、所定値の場合にはステップＳ２１２に行く。ステップＳ２１２では、次に操作すべき操作内容として「第２ブームのメカロックを外す」というメッセージと「第２ブーム張格ＳＷを格納へ」というメッセージを文字表示する。この２つのメッセージは順番に表示を繰り返すいわゆるサイクリック表示を行うが、２つの表示を同時に表示しても良い。オペレータはこの表示を見て、第２ブーム１３の前記第２ブームメカロックを外す操作を行い、次に、前記第２ブーム張格ＳＷを格納位置へ操作する。
【００３１】次にステップＳ２１３で第２ブーム張格ＳＷが格納位置であると判断すると、ステップＳ２１４に行き、次に操作すべき操作内容として「第２ブーム縮操作（反転）」というメッセージを文字表示する。オペレータはこの表示を見て、前記の図４に示すように、第２ブーム１３を反転して、第１ブーム１２の前方から側方になるように、回転ブラケット１４を回転する操作を行う、すると、前記第２ブーム先端ロックが解除され回転ブラケット１４が第１ブーム１２の前方から側方に回転する。
【００３２】次に、ステップＳ１０１に戻るが、ステップＳ１０１とステップＳ２０１は前記と同様であるので、ステップＳ２０２に行く。ステップＳ２０２では前記第２ブーム先端ロックが解除されていると前記のように図示しない先端ロックセンサの検出信号により判断すると、ステップＳ２１５に行く。ステップＳ２１５では、次に操作すべき操作内容として「第２ブーム張格ＳＷを中立へ」というメッセージを文字表示する。オペレータはこの表示を見て、前記第２ブーム張格ＳＷを中立位置にする操作を行う。次に、ステップＳ２１３に行き、第２ブーム張格ＳＷが格納位置でないと判断するとステップＳ２１６に行く。
【００３３】ステップＳ２１６では、次に操作すべき操作内容として「第１ブーム起こし」というメッセージを文字表示する。オペレータはこの表示を見て、第１ブーム１２を起こして、第１ブーム１２の起伏角度が所定値になるように操作する。次に、ステップＳ２１７に行き、第１ブーム１２の起伏角度が所定値でなければステップＳ２１６に行き、所定値であればステップＳ２１８に行く。
【００３４】ステップ２１８では、次に操作すべき操作内容として「第２ブーム振戻し・起」というメッセージを文字表示する。オペレータはこの表示を見て、第２ブーム起伏シリンダ１５を伸長して第２ブーム１３を起こし、第１ブーム１２側面に位置させ第２ブーム１３を格納姿勢にする。次に、ステップＳ２１９に行き、第２ブーム１３の起伏角度が所定値であるかを前記のように判断し、所定値でなければ第２ブーム固定準備が出来ていないと判断し、ステップＳ２１８に戻り、所定値にあれば第２ブーム固定準備が出来ていると判断し、ステップＳ２２０に行く。
【００３５】ステップＳ２２０では、次に操作すべき操作内容として「第２ブーム格納ロック」というメッセージを文字表示する。オペレータはこの表示を見て、前記第２ブーム格納ロック１８をロックする。次に、ステップＳ２２１では前記第２ブーム格納ロック１８がロックされているか解除されているかを前記のように判断し、解除されていると判断するとステップＳ２２０に行き、ロックされていると判断するとステップＳ２２２に行く。ステップＳ２２２では、次に操作すべき操作内容として「第１ブーム伏せて終了」というメッセージを文字表示する。オペレータはこの表示を見て、第１ブーム１２を伏せて作業車両１を図１に示すような走行姿勢になるように操作する。
【００３６】ステップＳ２０１で第１ブーム１２が走行車体１０に対して前方を向いていない場合には、ステップＳ２２３に行き、「エラー」というメッセージを文字表示する。また、「エラー」というメッセージを文字表示する代りに、警告灯を点灯したり警報を鳴らしても良い。」（段落【００２６】ないし【００３６】）
　　　
（ｈ）「【００３７】以上の説明では、一例として操作内容の表示を文字表示としたが、これを音声表示としても良い。また、文字表示を、文字表示のメッセージの意味するイラストのような図で示した映像表示に変えても良い。映像表示とは、例えば前記のステップＳ１０９でのメッセージ「第２ブーム張出・伏」を意味する図３のような図であれば良い。さらに、文字表示、音声表示、映像表示それぞれを組合せて、例えば、文字表示と音声表示の組み合わせ、映像表示と音声表示の組み合わせ、文字表示と映像表示の組み合わせでも良い。これにより、オペレータに分かりやすく次に操作すべき操作内容を知らせることができる。」（段落【００３７】）
　　
（ｉ）「【００３８】以上に説明したように、本発明に係る作業車両の操作内容表示装置では、作業機械である作業車両１が作業に取り掛かるために必要な操作内容を、作業車両１の姿勢やロック装置等の作動状態や、配線の接続状態や、スイッチの位置等の作業機械の現在の状態を第１ブーム角センサ５３、第２ブーム格納ロックセンサ５４、第２ブーム角センサ５５、第２ブームメカロックセンサ５６、第３ブームロックセンサ５７、作業モードスイッチ、旋回角センサ、作業モードＳＷ、第２ブーム張格ＳＷなどの状態検出手段により検出し、その検出信号によりコントローラ５１が作業機械の現在の状態を判断して次に操作すべき操作内容を表示装置に５２に表示するので、オペレータは複雑な操作内容を覚える必要も、取扱説明書を何度も見る必要も無く、容易に、また確実に作業機械を操作して、作業姿勢にすることができる。
【００３９】さらに、作業機械が第１ブーム１２及び第２ブーム１３を有する場合には、それらのブームの姿勢を確認しながら次の操作内容が表示されるので、その操作内容に従って、操作することで、ブームが予期しない姿勢となることもなく、現場での準備作業が間違いなく安全にできる。また、作業機械が第１ブーム１２及び第２ブーム１３を有し、さらに第３ブーム２０を装着するような作業車両である場合には、さらに安全に現場での作業準備作業ができる。」（段落【００３８】及び【００３９】）
　　
　したがって、上記の各記載事項（ａ）ないし（ｉ）及び図面の記載を総合すると、引用文献１には、次のような発明が記載されているといえる。
　　　　　　
　「作業機械１の運転室１９内に設けられ、表示内容を文字表示及び映像表示を用いて表示する表示装置５２と、
　表示装置５２に表示させる操作内容や操作手順を選択する作業モードスイッチや第２ブーム張格スイッチ等の選択手段と、
　作業機械１の作業に応じた操作内容や操作手順の表示内容を生成し、そして、生成された表示内容を表示装置５２に表示させるコントローラ５１と、
　作業機械１の姿勢や状態等の情報を検出する状態検出手段とを有し、
　前記コントローラ５１は、作業機械１の姿勢や状態に応じた操作内容や操作手順とともに状態検出手段で検出される姿勢や状態に基づく表示内容を生成し、そして、生成された表示内容の操作内容や操作手順を文字表示で、状態検出手段により検出した作業機械１の姿勢や状態に関する表示内容を映像表示で表示装置５２に表示させ、かつ、選択手段によって選択された作業の操作内容や操作手順を表示装置５２に表示させ、
　表示装置５２に表示させる表示内容は、状態検出手段で検出される姿勢や状態等の情報に基づいた作業機械１の操作内容や操作手順の指示及び警告を含む操作内容表示装置。」（以下、「引用文献１に記載された発明」という。）
　　
（イ）原査定の拒絶理由に引用された特開平１１−３１０３９３号公報（以下、「引用文献２」という。）には、図面とともに次の事項が記載されている。
　　
（ａ）「【請求項４】  予じめ記憶しておいた点検操作内容を上記文字情報表示として表示するとともに、この表示された点検操作内容に従って作動された上記作業機各部の作動状態を上記イラスト画像表示で表示するようにしたことを特徴とする請求項１記載のブーム式作業機の表示装置。」（【特許請求の範囲】の【請求項４】）
　　
（ｂ）「【００１０】
【発明が解決しようとする課題】そこで、作業者が各作動部の作業操作を行ったときに、各作動部が実際にどのような状態にあるかを、上述のような表示装置を活用して作業者が把握することができるようにすることが望ましい。また、各作動部等の異常発生時にもその異常の内容を上述のような表示装置を活用して作業者が把握できるようにすることが望ましい。また同様に、作業前点検において、その点検項目を上記表示装置を利用して順次表示できるようにすることも望まれる。
【００１１】本願発明は、このような事情に基いてなされたもので、上記作業機各部の作動状態や異常内容等の表示、また作業前点検の点検項目の表示を、必要に応じて作業者に対して行うことができるようにしたブーム式作業機の表示装置を提供することを目的とするものである。」（段落【００１０】及び【００１１】）
　　
（ｃ）「【００２４】（４）  請求項４の発明
該発明のブーム式作業機の表示装置の構成では、上記請求項１の発明の構成において、予じめ記憶しておいた点検操作内容を上記文字情報表示として表示するとともに、この表示された点検操作内容に従って作動された上記作業機各部の作動状態を上記イラスト画像表示で表示する。
【００２５】したがって、作業前点検時には、文字情報表示により順次表示される点検操作内容のとおりに点検操作を行って行けばよくなり、作業前点検が容易となる。」（段落【００２４】及び【００２５】）
　　　
（ウ）原査定の備考欄において周知の技術事項を例示するものとして引用された特開２００２−８１０９６号公報〈平成１４年３月２２日公開〉（以下、「引用文献３」という。）には、図面とともに次の事項が記載されている。
　　
（ａ）「【０００８】
【課題を解決するための手段】上記の目的を達成するために、請求項１記載の発明は、作業機を備える建設機械の表示装置において、前記建設機械を制御する複数の制御ユニット、モニタユニットからの情報を集約表示する表示部を有することを特徴とする建設機械の表示装置にある。」（段落【０００８】）
　　
（ｂ）「【００３６】次に、車体姿勢情報カテゴリの描画処理を行う（ステップ４０２）。このステップ４０２においては、まず通信により得た車体左右傾斜角を数値および単位で車体姿勢情報の表示領域５２０における車体左右傾斜角５２１に表示し、また同時に車体を後方から見たイラストを通信により得た車体左右傾斜角に合わせて回転させて表示する。
【００３７】次に通信により得られたバケット１２の回転角度を、車体姿勢情報の表示領域５２０におけるバケット回転角５２２に数値および単位で表示し、また同時にバケット１２を側面から見たイラストを通信により得たバケット回転角度に合わせて回転させて表示する。
【００３８】次に通信により得られたブーム角、アーム角、バケット角からバケット先端位置の高さおよびリーチを算出し、数値および単位で表示し、また同時に基準面高さを表す水平線とそれに垂直な線に車体全体を側面から見たイラストを重ねてグラフィカルに表示することによりフロントの姿勢５２３を視覚的にわかりやすく表示する。」（段落【００３６】ないし【００３８】）
　　
（エ）原査定の備考欄において周知の技術事項を例示するものとして引用された特開平７−１３８９９４号公報（以下、「引用文献４」という。）には、図面とともに次の事項が記載されている。
　　　
（ａ）「【０００４】本発明の目的は、作業機の操作レバーやスイッチ類の選択、作業機の動作確認に対して有用な建設機械の作業用表示モニタを提供することにある。
【０００５】
【課題を解決するための手段】一実施例を示す図１〜図３に対応付けて説明すると、請求項１の発明は、複数の作業機１，２，４，６を有する建設機械の作業用表示モニタであって、複数の作業機１，２，４，６がそれぞれ動作中か否かを検出する検出手段と、建設機械の運転室に設けられ、検出手段により検出した作業機１，２，４，６の動作を表示する表示部材２０とを備えることにより、上述した目的を達成する。請求項２の発明では、検出手段が作業機１，２，４，６の動作方向も検出し、表示部材２０が検出された動作方向も表示する。」（段落【０００４】及び【０００５】）
　　
（ｂ）「【００１６】実施例では発光部２２Ａ〜２２Ｊを対応する作業機の動作で点灯させたが、点滅させてもよい。表示パネル２１の全体を液晶パネルやＣＲＴで構成し、マーク２１Ａ〜２１Ｃおよび発光部２２Ａ〜２２Ｊをすべて画像表示させてもよい。この場合、例えばマーク２１Ａ〜２１Ｃのうち動作が検出された作業機に対応するもののみを表示させてもよい。第１のマーク２１Ａのブーム部分の表示を実機の動作に似せて移動させるなど、マーク２１Ａ〜２１Ｃの表示形態そのものを変化させてもよい。」（段落【００１６】の一部、第３ページ第４欄第２３行ないし第３２行）
　　
（２）対比・判断
（ア）本願補正発明と引用文献１に記載された発明との対比
　本願補正発明と引用文献１に記載された発明とを対比するに、引用文献１に記載された発明における「（作業機械の）操作内容表示装置」は、表示装置の表示画面に作業機械の操作内容や操作手順等を表示し、オペレータが操作手順を間違えることなく容易に作業機械を操作できるようにし、オペレータの操作を支援するものであって、本願補正発明の「操作支援装置」に相当する。また、引用文献１に記載された発明における「コントローラ」は、「コントローラ５１はマイクロコンピュータ又は高速数値演算装置等の演算処置装置により構成されており、所定の書換え可能なメモリ（いわゆるＲＡＭ）を有している。コントローラ５１は後述する各センサよりの信号により作業車両１の姿勢や状態を判断し、作業機械１の次に行うべき操作内容を表示装置５２に表示する。」（段落【００１０】）等の記載がなされているように、作業機械の作業に応じた操作内容や操作手順に関する表示内容を生成する「画像処理機能」と、作業機械の作業に応じた操作内容や操作手順の表示内容を画像処理機能に生成させ、そして、画像処理機能により生成された表示内容を表示装置に表示させる「制御機能」を備えていることから、本願補正発明の「画像処理装置」及び「制御装置」に相当するものである。
　さらに、引用文献１に記載された発明における「作業機械」、「（作業モードスイッチや第２ブーム張格スイッチ等の）選択手段」及び「状態検出手段」は、それらの形状、構造及び機能等からみて、それぞれ、本願補正発明の「建設機械」、「選択装置」及び「情報検出装置」に相当し、また、引用文献１に記載された発明における「表示内容」、「文字表示」、「映像表示」、「操作内容や操作手順」、「姿勢や状態」、「姿勢や状態等の情報」、「操作内容や操作手順の指示」、及び、「警告」は、それらの機能及びそれらの意図する意味内容等からみて、それぞれ、本願補正発明の「画像」、「テキスト」、「イラスト」、「操作手順」、「姿勢」、「姿勢を含む操作上関連する情報」、「操作方法の指示」、及び、「操作に伴う警告」に相当する。
　したがって、本願補正発明と引用文献１に記載された発明は、「建設機械の運転室内に設けられ、画像をテキスト及びイラストを用いて表示する表示装置と、画像を生成する画像処理装置と、表示装置に表示させる操作手順を選択する選択装置と、建設機械の作業に応じた操作手順の画像を画像処理装置に生成させ、画像処理装置で生成された画像を表示装置に表示させる制御装置と、建設機械の姿勢を含む操作上関連する情報を検出する情報検出装置とを有し、
　前記制御装置は、建設機械の姿勢に応じた操作手順とともに情報検出装置で検出される姿勢に基づく画像を画像処理装置に生成させ、画像処理装置で生成された操作手順をテキストで、情報検出装置により検出した建設機械の姿勢に関する画像をイラストで表示装置に表示させ、かつ、選択装置によって選択された作業の操作手順を表示装置に表示させ、表示装置に表示させる画像は情報検出装置で検出される情報に基づいた建設機械の操作方法の指示及び操作に伴う警告を含んでいる操作支援装置。」である点で一致し、次の１）及び２）の２点において相違する。
　
　１）本願補正発明においては、情報検出装置により検出した建設機械の姿勢に関する画像をリアルタイムのイラストで表示装置に表示させているのに対し、引用文献１に記載された発明では、情報検出装置により検出した建設機械の姿勢に関する画像をイラストで表示装置に表示させるとしても、リアルタイムのイラストで表示するものであるのか明らかでない点（以下、「相違点１」という。）。
　２）本願補正発明においては、表示装置に表示させる画像として、確認項目や目視による点検項目を含んでいるのに対し、引用文献１に記載された発明においては、確認項目や目視による点検項目を表示装置に表示させることについては明らかでない点（以下、「相違点２」という。）。
　　
（イ）相違点についての検討
　相違点１について検討するに、建設機械等の表示装置において、情報検出装置により検出した建設機械等の姿勢に関する画像をリアルタイムのイラストで表示装置に表示させることは、引用文献３及び４にも記載されているように、本件出願の優先日前に周知の技術事項（以下、「周知の技術事項ａ」という。）であり、引用文献１に記載された発明において、画像の表示にイラスト（映像表示）を用いるにあたって、前述した周知の技術事項ａを採用して、前記相違点１に係る本願補正発明のような発明特定事項とすることは、当業者に格別な創意工夫を要することなく容易に想到し得る程度のものである。
　　
　相違点２について検討するに、建設機械等の作業機械における作業表示装置において、作業前の点検や確認項目を表示装置に表示させるようにし、オペレータに対して点検操作内容を順次表示して点検確認させるように構成することは、引用文献２にも記載されているように、本件出願の優先日前に周知の技術事項（以下、「周知の技術事項ｂ」という。）である（さらに必要ならば、例えば、《１》特開平８−３２４９９８号公報〈特に、段落【００２８】ないし【００３０】及び【００３５】等の記載並びに図４〉、《２》特開平７−１８７５８０号公報〈特に、段落【００６４】ないし【００７０】の記載及び図１８〉、《３》実公平７−２１５１１号公報〈特に、第３ページ第６欄第１０行ないし第４６行及び第４ページ第７欄第２８行ないし第８欄第９行等の記載〉等参照のこと）。また、建設機械等の作業機械における作業前の点検や確認等に際して、オペレータが目視により点検確認をすべき項目があることは、本件出願の優先日前に従来から当業者にとって周知の技術事項（以下、「周知の技術事項ｃ」という。）である（必要ならば、例えば、《４》特開平１０−７３８９号公報〈特に、段落【０００８】、【０００９】及び【００１８】ないし【００２０】等の記載〉、《５》実願平２−７５９２２号（実開平４−３４２９９号）のマイクロフィルム〈特に、明細書第５ページ第５行ないし第１５行及び同第６ページ第８行ないし第７ページ第１５行等の記載〉等参照のこと）。
　したがって、引用文献１に記載された発明において、表示装置に表示させる画像として、情報検出装置で検出される情報に基づいた操作方法の指示等とともに点検項目や確認項目を採用して、点検項目や確認項目を表示装置に適宜表示させるように構成し、さらに、特に目視による点検項目を必要とする項目については、その旨を表示装置に表示するようになし、選択装置によって選択された作業の操作手順や目視による点検項目を表示装置に表示させるように構成することは、前述した周知の技術事項ｂ及びｃを考慮すれば、当業者が格別な創意工夫を要することなく必要に応じて容易に想到し得る程度のものであり、前記相違点２に係る本願補正発明のような発明特定事項とすることは、引用文献１に記載された発明や前述した周知の技術事項ｂ及びｃに基づいて、当業者が格別困難なく容易に想到し得る程度のものである。
　
　よって、本願補正発明は、引用文献１に記載された発明及び前述した周知の技術事項ａないしｃ等に基づいて当業者が格別な困難性を伴うことなく容易に想到し発明し得る程度のものである。　
　しかも、本願補正発明は、全体構成でみても、引用文献１に記載された発明及び前述した周知の技術事項ａないしｃ等から予測できる作用効果以上の顕著な作用効果を奏するものとも認められない。
　
（３）以上のように、本願補正発明は、引用文献１に記載された発明及び前述した周知の技術事項ａないしｃに基づいて当業者が容易に発明をすることができたものであり、特許法第２９条第２項の規定により、特許出願の際独立して特許を受けることができないものである。
　
３．むすび
　以上のとおり、本件補正は、本願補正発明が特許出願の際独立して特許を受けることができないものであって、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定において読み替えて準用する同法第５３条第１項の規定により却下すべきものである。
　よって、補正却下の決定の結論のとおり決定する。
　
第３．本願発明について
１．手続の経緯及び本願発明
　平成２２年１月１５日付けの手続補正は前述したとおり却下されたので、本件出願の請求項１ないし１９に係る発明は、平成２０年８月２９日付け及び平成２１年５月２１日付けの各手続補正書によって補正された明細書及び出願当初の図面の記載からみて、特許請求の範囲の請求項１ないし１９に記載された事項により特定されるものであり、そのうちの、請求項１に係る発明（以下、「本願発明」という。）は、前記第２．の〔理由〕１．（１）の（ａ）に記載したとおりのものである。
　
２．引用文献の記載内容
　原査定の拒絶理由に引用された引用文献１（特開２００１−３３５２８６号公報）、引用文献２（特開平１１−３１０３９３号公報）、引用文献３（特開２００２−８１０９６号公報）、及び、引用文献４（特開平７−１３８９９４号公報）の記載事項は、前記第２．の〔理由〕２．（１）の（ア）ないし（エ）に記載したとおりである。
　
３．対比・判断
　本願発明は、前記第２．の〔理由〕１．（ａ）及び（ｂ）にみられるように、本願補正発明（本件補正後の請求項１に係る発明）における発明特定事項の一部を削除し、そして、発明特定事項の一部についての限定を省いたものに、実質的に相当する。
　そうすると、本願発明の発明特定事項を全て含む本願補正発明が、前記第２．の〔理由〕２．（１）ないし（３）に記載したとおり、引用文献１に記載された発明及び前述した周知の技術事項ａないしｃに基づいて当業者が容易に発明をすることができたものであるから、本願発明も、同様の理由により、引用文献１に記載された発明及び前述した周知の技術事項ａないしｃに基づいて当業者が容易に発明をすることができたものである。
　　
４．むすび
　以上のとおり、本願発明は、引用文献１に記載された発明及び前述した周知の技術事項ａないしｃに基づいて当業者が容易に発明をすることができたものであるから、特許法第２９条第２項の規定により特許を受けることができない。
　よって、結論のとおり審決する。
　　
　なお、審判請求人は回答書で、補正後の請求項１において「前記表示装置に表示される操作手順を選択する選択装置」を「前記表示装置に表示された画面において、前記表示装置に表示させる操作手順を選択する選択装置」という趣旨に補正する旨主張しているものの、当該主張を勘案しても結論において変わりはないことを付言する。